(57)【要約】【課題】紙質によってピックアップローラによる用紙の送り出し易さや、ピックアップローラによって用紙を送り出す際のスキューの程度が異なる点を考慮してピックアップローラをより適切に制御する【解決手段】フロント給送装置３は、ピックアップローラ２６によって給紙カセット２５にセットされた用紙Ｐ２を最上位のものから１枚ずつ給送する。給送モードとして普通紙通常給送モードと、専用紙給送モードとがあり、専用紙給送モードにおけるピックアップローラの回転量２６が、普通紙通常給送モードにおける同回転量よりも多く設定される。専用紙は普通紙より剛性が高くエッジガイドにガイドされ易いため、ピックアップローラ２６の送り力によって生じるスキューの程度を抑えたまま、より一層の搬送力を得ることができ、より確実に給送することができる。【選択図】図１
2007197180.tif 000002
【特許請求の範囲】
【請求項１】
被記録媒体をセットする被記録媒体セット部と、
前記被記録媒体セット部にセットされた被記録媒体の最上位のものと接し且つ回転することにより、当該最上位の被記録媒体を給送方向へと送り出すピックアップローラと、を備えた被記録媒体給送装置であって、
給送動作中における前記ピックアップローラの回転量が異なる複数の給送モードを備え、
材質が異なる複数種類の被記録媒体の前記種類に応じて前記給送モードを切換可能に構成されている、
ことを特徴とする被記録媒体給送装置。
【請求項２】
請求項１において、前記給送モードとして、
複数層から成る被記録媒体としての専用紙を給送する専用紙給送モードと、
単一層から成る被記録媒体としての普通紙を給送する普通紙通常給送モードと、を備え、
前記専用紙給送モードにおける前記ピックアップローラの回転量が、前記普通紙通常給送モードにおける前記ピックアップローラの回転量よりも多いことを特徴とする被記録媒体給送装置。
【請求項３】
請求項１または２において、前記ピックアップローラが、前記セット部にセットされた最上位の被記録媒体に対して接離可能に設けられ、
少なくとも給送した被記録媒体に記録が実行されている間、前記ピックアップローラが、記録が実行されている被記録媒体から離間する様構成されている、
ことを特徴とする被記録媒体給送装置。
【請求項４】
請求項１または２において、前記ピックアップローラが、前記セット部にセットされた最上位の被記録媒体に対して接離可能に設けられ、
前記ピックアップローラの駆動源である駆動モータが停止した状態において、前記ピックアップローラが前記駆動モータからの負荷を受けずに、記録が実行されている被記録媒体と接して従動回転可能となる様構成されている、
ことを特徴とする被記録媒体給送装置。
【請求項５】
請求項１から４のいずれか１項において、給送されるべき最上位の被記録媒体をニップすることにより、給送されるべき最上位の被記録媒体と次位以降の被記録媒体とを分離する分離部が、被記録媒体の給送方向においては前記ピックアップローラの下流側であって、桁方向においては前記ピックアップローラによる送り力によって被記録媒体に生じるスキュー傾向を打ち消す位置に設けられている、
ことを特徴とする被記録媒体給送装置。
【請求項６】
請求項５において、前記分離部が、桁方向において前記ピックアップローラの配置位置と略一致する位置に設けられていることを特徴とする被記録媒体給送装置。
【請求項７】
請求項５または６において、前記分離部が、被記録媒体の記録面と接し且つ回転することにより被記録媒体を給送する給送ローラと、
所定の回転抵抗が付与されるとともに前記給送ローラに対して接離可能に設けられる分離ローラと、
を備えて構成されていることを特徴とする被記録媒体給送装置。
【請求項８】
請求項５から７のいずれか１項において、給送動作中において前記ピックアップローラが給送されるべき最上位の被記録媒体に送り力を付与する期間と、前記分離部が給送されるべき最上位の被記録媒体をニップする期間とが略一致する様に構成されている、
ことを特徴とする被記録媒体給送装置。
【請求項９】
請求項８において、単一層から成る被記録媒体としての普通紙を分離する際には、前記分離手段によって被記録媒体をニップする時間を、複数層から成る被記録媒体としての専用紙を分離する際に被記録媒体をニップする時間より短くする、
ことを特徴とする被記録媒体給送装置。
【請求項１０】
請求項７から９のいずれか１項において、前記セット部が被記録媒体を略水平姿勢に支持する様構成され、
前記給送ローラの外周面によって前記セット部から取り出した被記録媒体をＵ字形状に湾曲させ、前記セット部からの取り出し方向とは反対方向に給送する湾曲反転給送経路を備えていることを特徴とする被記録媒体給送装置。
【請求項１１】
被記録媒体に記録を行う記録手段を備えた記録装置であって、請求項１から１０のいずれか１項に記載の前記被記録媒体給送装置を前記記録手段の上流側に備えている、
ことを特徴とする記録装置。
【請求項１２】
被噴射媒体に液体噴射を行う液体噴射手段と、
前記液体噴射手段の上流側に設けられ、被噴射媒体を前記液体噴射手段へ向けて給送する被噴射媒体給送装置と、を備えた液体噴射装置であって、
前記被噴射媒体給送装置が、被噴射媒体をセットする被噴射媒体セット部と、
前記被噴射媒体セット部にセットされた被噴射媒体の最上位のものと接し且つ回転することにより、当該最上位の被噴射媒体を給送方向へと送り出すピックアップローラと、を備え、
給送動作中における前記ピックアップローラの回転量が異なる複数の給送モードを備え、
材質が異なる複数種類の被噴射媒体の前記種類に応じて前記給送モードを切換可能に構成されている、
ことを特徴とする液体噴射装置。
【発明の詳細な説明】
【技術分野】
【０００１】
本発明は、プリンタ等の記録装置において被記録媒体を給送する被記録媒体給送装置及びこれを備えた記録装置に関する。また、本発明は液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
ファクシミリやプリンタ等に代表される記録装置或いは液体噴射装置には、被記録媒体或いは被噴射媒体の一例としての記録用紙を積層状態でセット可能であるとともにセットされた記録用紙のうち最上位のものからピックアップローラによって１枚ずつ取り出して給送する給送装置が設けられたものがある。また、給送装置には、最上位の記録用紙が取り出される際に次位以降の記録用紙が連れられて給送されない様、給送されるべき最上位の記録用紙と次位以降の記録用紙とを分離する分離手段が設けられる。
【０００３】
特許文献１には、ＯＨＰシートのように１枚あたりの質量の大きいシートをピックアップローラで送り出す際に、当該シートが分離ニップ部に突入する際の運動エネルギーが大きく分離性が低下することに鑑み、シート種別に応じてピックアップローラの回転速度を変更し、これによってシートが分離ニップ部に突入する際の運動エネルギーをシート種別に拘わらず略一定にする技術が開示されている。
【０００４】
特許文献２には、用紙厚が異なると、ピックアップローラによる送り出し性能に影響が生じることに鑑み、普通紙の場合にピックアップローラを用紙に押圧する時間をｓとすると、厚紙の場合はｓ＋Δｓに設定し、薄紙の場合にはｓ−Δｓに設定する技術が開示されている。  
特許文献３には、用紙搬送時の負荷を低減するために、用紙の送り出し方向の長さに基づいてピックアップローラの駆動時間を設定する技術が開示されている。
【０００５】
【特許文献１】特開平１１−３１４７７５号公報
【特許文献２】特開平６−２１９５７３号公報
【特許文献３】特開平８−１６９５７５号公報
【発明の開示】
【発明が解決しようとする課題】
【０００６】
ところで記録用紙には写真印刷に適したものとして記録面にコート層を備えた複数層から成る専用紙、テキスト印刷に適したものとして単一層から成る普通紙等、多種多様のものが存在している。その中でも専用紙は、用紙の剛性が高く、湾曲経路を給送する際に大きな搬送負荷を生じ易いとともに、分離手段を通過する際の抵抗が大きいことから、ピックアップローラによって送り出す際にピックアップローラとの間でスリップを生じ易いというデメリットがある。そして更に、表面が滑り易い専用紙や、用紙間の摩擦係数が大きい用紙では、この現象がより一層顕著となる。その反面、用紙の剛性が高く、エッジガイドによってガイドされ易い為、ピックアップローラによって送り力を加えても、スキューし難いというメリットがある。
【０００７】
一方、普通紙は用紙の剛性が低く、湾曲経路を給送する際に大きな搬送負荷が生じないとともに、分離手段を通過する際の抵抗も比較的小さく、且つ表面が比較的滑り難く用紙間の摩擦係数もそれ程大きくないことから、ピックアップローラとの間でスリップが生じ難く、安定して送り出すことができるというメリットがある。その反面、用紙の剛性が低く、エッジガイドによってガイドされ難い為、ピックアップローラによって送り力を加えると、スキューし易いといったデメリットがある。
【０００８】
つまり、ピックアップローラによる用紙の送り出し易さや、ピックアップローラによって用紙を送り出す際のスキューの程度は紙質（材質）によって異なるものであり、この点を考慮してピックアップローラによる送り出し動作を最適化する必要がある。そして上記特許文献１〜３記載の従来技術においては、用紙の質量（特許文献１）、或いは用紙厚（特許文献２）、或いは用紙長さ（特許文献３）に応じてピックアップローラの制御を行うが、用紙の材質、特に用紙の剛性と、用紙表面の滑りやすさと、の双方を考慮してピックアップローラを適切に制御する様には構成されていなかった。
【０００９】
そこで本発明はこの様な状況に鑑み成されたものであり、その目的は、用紙の材質によってピックアップローラによる用紙の送り出し易さや、ピックアップローラによって用紙を送り出す際のスキューの程度が異なる点を考慮してピックアップローラをより適切に制御することにあり、特に専用紙では確実に搬送しつつ、普通紙ではスキューを最小限に抑えることが可能な給送装置を得ることにある。
【課題を解決するための手段】
【００１０】
上記課題を解決するために、本発明の第１の態様は、被記録媒体をセットする被記録媒体セット部と、前記被記録媒体セット部にセットされた被記録媒体の最上位のものと接し且つ回転することにより、当該最上位の被記録媒体を給送方向へと送り出すピックアップローラと、を備えた被記録媒体給送装置であって、給送動作中における前記ピックアップローラの回転量が異なる複数の給送モードを備え、材質が異なる複数種類の被記録媒体の前記種類に応じて前記給送モードを切換可能に構成されていることを特徴とする。
【００１１】
本態様によれば、材質が異なる複数種類の被記録媒体の前記種類に応じて前記給送モードを切換えるので、例えば被記録媒体の剛性が高い場合、或いはピックアップローラとの間の摩擦係数が小さい場合、或いは剛性が高く且つ前記摩擦係数が小さい場合には、ピックアップローラの回転量を多くしてより一層の送り力を与えることにより、被記録媒体をより確実に給送することができる。また、被記録媒体の剛性が低い場合、或いは前記摩擦係数が大きい場合、或いは剛性が低く且つ前記摩擦係数が大きい場合には、ピックアップローラの回転量を少なくすることにより、スキューの程度を軽減することができる。
【００１２】
本発明の第２の態様は、上記第１の態様において、前記給送モードとして、複数層から成る被記録媒体としての専用紙を給送する専用紙給送モードと、単一層から成る被記録媒体としての普通紙を給送する普通紙通常給送モードと、を備え、前記専用紙給送モードにおける前記ピックアップローラの回転量が、前記普通紙通常給送モードにおける前記ピックアップローラの回転量よりも多いことを特徴とする。本態様によれば、専用紙の場合にはピックアップローラの回転量を多くしてより一層搬送力を与えることにより、より確実に給送することができ、普通紙の場合にはピックアップローラの回転量を少なくすることにより、スキューの程度を軽減することができる。
【００１３】
本発明の第３の態様は、上記第１のまたは第２の態様において、前記ピックアップローラが、前記セット部にセットされた最上位の被記録媒体に対して接離可能に設けられ、少なくとも給送した被記録媒体に記録が実行されている間、前記ピックアップローラが、記録が実行されている被記録媒体から離間する様構成されていることを特徴とする。  
本態様によれば、少なくとも給送した被記録媒体に記録が実行されている間、前記ピックアップローラが、記録が実行されている被記録媒体から離間するので、前記ピックアップローラによって被記録媒体にバックテンションを与えることがなく、記録品質の低下を防止することができる。
【００１４】
本発明の第４の態様は、上記第１のまたは第２の態様において、前記ピックアップローラが、前記セット部にセットされた最上位の被記録媒体に対して接離可能に設けられ、前記ピックアップローラの駆動源である駆動モータが停止した状態において、前記ピックアップローラが前記駆動モータからの負荷を受けずに、記録が実行されている被記録媒体と接して従動回転可能となる様構成されていることを特徴とする。
【００１５】
本態様によれば、前記ピックアップローラの駆動源である駆動モータが停止した状態において、前記ピックアップローラが、前記駆動モータからの負荷を受けずに、記録が実行されている被記録媒体と接して従動回転可能となる様構成されているので、前記ピックアップローラが被記録媒体と接した状態のままであっても、記録を実行中の被記録媒体に与えるバックテンションを大幅に軽減させることができるとともに、１枚給送する毎にピックアップローラを被記録媒体に対して接離させる必要がないので、連続給送を行う際に高速化を図ることができる。
【００１６】
本発明の第５の態様は、上記第１から第４の態様のいずれかにおいて、給送されるべき最上位の被記録媒体をニップすることにより、給送されるべき最上位の被記録媒体と次位以降の被記録媒体とを分離する分離部が、被記録媒体の給送方向においては前記ピックアップローラの下流側であって、桁方向においては前記ピックアップローラによる送り力によって被記録媒体に生じるスキュー傾向を打ち消す位置に設けられていることを特徴とする。
【００１７】
本態様によれば、給送されるべき最上位の被記録媒体をニップすることにより、給送されるべき最上位の被記録媒体と次位以降の被記録媒体とを分離する分離部が、桁方向においては前記ピックアップローラによる送り力によって被記録媒体に生じるスキュー傾向を打ち消す位置に設けられているので、前記ピックアップローラによる送り力によって被記録媒体に生じるスキューの程度を軽減することができる。
【００１８】
本発明の第６の態様は、上記第５の態様において、前記分離部が、桁方向において前記ピックアップローラの配置位置と略一致する位置に設けられていることを特徴とする。  
本態様によれば、前記分離部が、桁方向において前記ピックアップローラの配置位置と略一致する位置に設けられていることから、桁方向において前記ピックアップローラによる送り力と、前記分離部が被記録媒体に与える負荷とのバランスがとれ、より一層適切に前記ピックアップローラによる送り力によって被記録媒体に生じるスキューの程度を軽減することができる。
【００１９】
本発明の第７の態様は、上記第５のまたは第６の態様において、前記分離部が、被記録媒体の記録面と接し且つ回転することにより被記録媒体を給送する給送ローラと、所定の回転抵抗が付与されるとともに前記給送ローラに対して接離可能に設けられる分離ローラとを備えて構成されていることを特徴とする。
【００２０】
本態様によれば、前記分離部が、被記録媒体の記録面と接し且つ回転することにより被記録媒体を給送する給送ローラと、所定の回転抵抗が付与されるとともに前記給送ローラに対して接離可能に設けられる分離ローラとを備えて構成されているので、給送されるべき被記録媒体の記録面とその裏面の双方にダメージを与えることなく、次位以降の被記録媒体と分離させることができる。
【００２１】
本発明の第８の態様は、上記第５から第７の態様のいずれかにおいて、給送動作中において前記ピックアップローラが給送されるべき最上位の被記録媒体に送り力を付与する期間と、前記分離部が給送されるべき最上位の被記録媒体をニップする期間とが略一致する様に構成されていることを特徴とする。
【００２２】
本態様によれば、ピックアップローラが給送されるべき最上位の被記録媒体に送り力を付与する期間と、前記分離部が給送されるべき最上位の被記録媒体をニップする期間とが略一致する様に構成されていることから、前記ピックアップローラによる送り力によって被記録媒体に生じるスキュー傾向を、前記分離部によって効果的に打ち消すことができ、より一層前記ピックアップローラによる送り力によって被記録媒体に生じるスキューの程度を軽減することができる。
【００２３】
本発明の第９の態様は、上記第８の態様において、単一層から成る被記録媒体としての普通紙を分離する際には、前記分離手段によって被記録媒体をニップする時間を、複数層から成る被記録媒体としての専用紙を分離する際に被記録媒体をニップする時間より短くすることを特徴とする。  
本態様によれば、普通紙を分離する際には、前記分離手段によって被記録媒体をニップする時間を、複数層から成る被記録媒体としての専用紙を分離する際に被記録媒体をニップする時間より短くするので、テキスト印刷が多量に実行される場合が多い普通紙を連続して高速に給送する場合でも、紙ジャムや皺等の発生を防止することができる。
【００２４】
本発明の第１０の態様は、上記第７から第９の態様のいずれかおいて、前記セット部が被記録媒体を略水平姿勢に支持する様構成され、前記給送ローラの外周面によって前記セット部から取り出した被記録媒体をＵ字形状に湾曲させ、前記セット部からの取り出し方向とは反対方向に給送する湾曲反転給送経路を備えていることを特徴とする。本態様によれば、セット部からの取りだし方向とは反対方向に被記録媒体を給送する湾曲反転給送経路を備えた被記録媒体給送装置において、上記第７〜第９の態様の作用効果を得ることができる。尚、「略水平」とは在る程度の誤差をも含む意味であり、その範囲は、当業者が適宜決定し得る設計事項である。
【００２５】
本発明の第１１の態様は、被記録媒体に記録を行う記録手段を備えた記録装置であって、上記第１から第１０の態様のいずれかに記載の前記被記録媒体給送装置を前記記録手段の上流側に備えていることを特徴とする。本態様によれば、記録装置において、上記第１から第１０の態様のいずれかと同様な作用効果を得ることができる。
【００２６】
本発明の第１１の態様は、被噴射媒体に液体噴射を行う液体噴射手段と、前記液体噴射手段の上流側に設けられ、被噴射媒体を前記液体噴射手段へ向けて給送する被噴射媒体給送装置と、を備えた液体噴射装置であって、前記被噴射媒体給送装置が、被噴射媒体をセットする被噴射媒体セット部と、前記被噴射媒体セット部にセットされた被噴射媒体の最上位のものと接し且つ回転することにより、当該最上位の被噴射媒体を給送方向へと送り出すピックアップローラと、を備え、給送動作中における前記ピックアップローラの回転量が異なる複数の給送モードを備え、材質が異なる複数種類の被噴射媒体の前記種類に応じて前記給送モードを切換可能に構成されていることを特徴とする。
【発明を実施するための最良の形態】
【００２７】
以下、図１乃至図９を参照しつつ本発明の一実施形態について説明する。図１は本発明に係る「記録装置」或いは「液体噴射装置」の一実施形態であるインクジェットプリンタ（以下「プリンタ」と言う）１の側断面概略図、図２はフロント給送装置３（給送ローラ２８は除く）の斜視図、図３は図２の要部拡大図、図４はフロント給送装置３の給送経路の模式図、図５は給送動作の流れを示すフローチャート、図６はフロント給送装置３の給送経路の模式図、図７乃至図９はフロント給送装置３の各構成要素の用紙給送時における動作タイミングを示すタイミングチャートであって、図７は普通紙通常給送モードを、図８は専用紙給送モードを、図９は普通紙高速給送モードを示している。
【００２８】
以下、図１乃至図４を参照しつつプリンタ１の全体構成について説明する。図１に示す様にプリンタ１は複数の給送手段を備えており、即ち装置後部にリア給送装置２を、装置底部にフロント給送装置３を備え、これら２つの給送装置から、搬送手段５へと「被記録媒体」或いは「被噴射媒体」としての記録用紙Ｐを給送する。記録用紙Ｐは搬送手段５によって記録手段４（記録ヘッド４８）へと搬送され、記録が実行された後、排出手段６によって図示しないスタッカへと排出される。
【００２９】
以下、用紙搬送（給送）経路上の構成要素について更に詳説する。  
リア給送装置２は、ホッパ１２と、給送ローラ１１と、リタードローラ１３と、図示しない戻しレバーと、更に図示しないその他の構成要素を備えている。  
ホッパ１２は板状体から成り、上部の揺動支点１２ａを中心に揺動可能に設けられ、揺動することにより、ホッパ１２上に傾斜姿勢に支持された用紙Ｐ１を給送ローラ１１に圧接させる圧接姿勢と、給送ローラ１１から離間させる離間姿勢と、を切り換える。給送ローラ１１は円形状を成し、回転することにより、圧接した最上位の用紙Ｐ１を下流側へ給送する。尚、以下ではリア給送装置２にセットされ、給送される記録用紙を「用紙Ｐ１」と言い、フロント給送装置３にセットされ、給送される記録用紙を「用紙Ｐ２」と言い、両者を区別する必要の無い場合には「用紙Ｐ」或いは単に用紙と言うこととする。
【００３０】
次に、リタードローラ１３は、外周が弾性材によって形成されるとともに給送ローラ１１と圧接可能に設けられ、且つ、トルクリミッタ機構により、所定の回転抵抗が与えられた状態に設けられている。従って用紙Ｐ１の重送が発生せずに、１枚だけ給送されている場合には、リタードローラ１３は給送ローラ１１に対して従動回転し、用紙Ｐ１が給送ローラ１１とリタードローラ１３との間に複数枚存在する場合には、用紙間の滑り作用によって回転せずに停止した状態となり、次位以降の用紙Ｐ１の重送が防止される。尚、リタードローラ１３近傍には図示しない用紙戻しレバーが設けられており、この用紙戻しレバーによって、重送されようとした次位以降の用紙Ｐ１がホッパ１２上に戻される。
【００３１】
一方、プリンタ１の底部に設けられ、用紙を装置前方からセットする様構成されたフロント給送装置３は、「被記録媒体（被噴射媒体）セット部」を構成する給紙カセット２５と、「被記録媒体（被噴射媒体）取り出し手段」を構成するピックアップローラ２６と、「分離手段」を構成する給送ローラ２８及び分離ローラ２９と、アシストローラ３０と、更に図示しないその他の構成要素を備えている。
【００３２】
給紙カセット２５には複数枚の用紙Ｐ２を積層状態でセット可能であり、その内部には、図２に示す様に用紙幅方向に変位可能なエッジガイド２５ａと、用紙長さ方向に変位可能なエッジガイド２５ｂとが設けられていて、用紙サイズに合った適切な位置で、セットされた用紙のエッジをガイド可能となっている。尚、給紙カセット２５にセットされる用紙Ｐ２は、エッジガイド２５ａと、給紙カセット２５の側壁とによって両側からガイドされる。
【００３３】
図１に戻って、図示しない駆動モータによって回転駆動されるピックアップローラ２６は、揺動部材２７に設けられている。揺動部材２７は揺動軸２７ａを中心に揺動可能に設けられており、これにより、ピックアップローラ２６が、符号２６と２６’で示すように給紙カセット２５にセットされた用紙Ｐ２の最上位のものに対して接離可能となっている。そしてピックアップローラ２６は、給紙カセット２５にセットされた用紙Ｐ２の最上位のものと接して回転することにより、当該最上位の用紙Ｐ２を給紙カセット２５から取り出して給送方向へ送り出す。尚、給紙カセット２５の底部には図２に示す様に摩擦パッド２５ｃが設けられており、これによってセットされた用紙Ｐ２の束全体が繰り出されない様構成されている。
【００３４】
給送ローラ２８は図示しない駆動モータによって回転駆動され、給紙カセット２５から送り出された最上位の用紙Ｐ２を略Ｕ字状に湾曲反転させて、即ち用紙取り出し方向（図１の左方向）とは反対方向に反転させて、紙案内後４４を経て搬送手段５へと給送する。即ち、給送ローラ２８の外周面によって、用紙Ｐ２を湾曲反転させて給送する湾曲反転給送経路が形成される。尚、符号３６と３７は給送ローラ２８の外周面と対向して設けられるガイド部材であって、給送ローラ２８とともに前記湾曲反転給送経路を形成する。
【００３５】
次に、フロント給送装置３には、「第１の分離部」と「第２の分離部」の２つの分離部（分離手段）が設けられている。「第１の分離部」は、給紙カセット２５にセットされる用紙先端と対向する位置に設けられた、摺接面３５によって構成される（図２、３も参照）。即ち、ピックアップローラ２６によって給送方向に送り出される用紙Ｐ２の先端は、摺接面３５に摺接しながら下流側へと送られ、これによって給送されるべき最上位の用紙Ｐ２と、これに連れられて重送されようとする次位以降の用紙Ｐ２とが分離される。
【００３６】
「第２の分離部」は、給送ローラ２８と分離ローラ２９とを備えて構成される。分離ローラ２９は、給送ローラ２８の外周面と対向する位置に配置され、且つ、符号２９と２９’で示すように給送ローラ２８に対して進退可能に設けられている。また、分離ローラ２９は、上記リタードローラ１３と同様にトルクリミッタ機構により、所定の回転抵抗が与えられた状態に設けられている。
【００３７】
従って分離ローラ２９は給送される用紙Ｐ２を給送ローラ２８とでニップすることにより、重送が発生せずに１枚だけ給送されている場合には当該用紙Ｐ２と接して従動回転し、用紙Ｐ２が給送ローラ２８と分離ローラ２９との間に複数枚存在する場合には、用紙間の滑り作用によって回転せずに停止した状態となり、重送されようとする次位以降の用紙Ｐ２は給送ローラ２８と分離ローラ２９とのニップ点近傍に留められ、重送が防止される。
【００３８】
尚、符号３８はガイドローラを示しており、当該ガイドローラ３８は図３に示すように用紙給送方向においては分離ローラ２９のやや上流側に、桁方向（用紙幅方向：図１の紙面表裏方向）では分離ローラ２９の両側に配置され、用紙先端を給送ローラ２８と分離ローラ２９とのニップ点へ案内する。
【００３９】
次に、アシストローラ３０は、給送ローラ２８の外周面と接して従動回転するよう設けられており、用紙Ｐ２を給送ローラ２８との間でニップすることにより、給送ローラ２８の回転に伴う用紙Ｐ２の給送をアシストする。尚、アシストローラ３０は、図２に示すように桁方向全体に亘ってほぼ等間隔に局在する様に設けられている。
【００４０】
次に、リア給送装置２及びフロント給送装置３の下流側には、給送される用紙Ｐの通過を検出する用紙検出器４９（図１では図示省略：図６参照）と、リア給送装置２から給送される用紙Ｐ１の給送姿勢を形成するガイドローラ４０と、給送される用紙Ｐを搬送手段５へと案内する紙案内後４４と、が設けられている。
【００４１】
搬送手段５は、モータによって回転駆動される搬送駆動ローラ４１と、該搬送駆動ローラ４１に圧接して従動回転するよう紙案内上４３に軸支される搬送従動ローラ４２とを備えて構成されている。搬送手段５に到達した用紙Ｐは、搬送駆動ローラ４１と搬送従動ローラ４２とによってニップされた状態で搬送駆動ローラ４１が回転することにより、下流側の記録手段４（記録ヘッド４８）へと搬送される。
【００４２】
記録ヘッド（液体噴射ヘッド）４８はキャリッジ４６の底部に設けられ、当該キャリッジ４６は主走査方向（図１の紙面表裏方向）に延びるキャリッジガイド軸４７にガイドされながら、図示しない駆動モータによって主走査方向に往復動する様に駆動される。また、キャリッジ４６は、複数の色毎に独立したインクカートリッジ（図示せず）を搭載し、このインクカートリッジから記録ヘッド４８へとインクが供給される。
【００４３】
記録ヘッド４８と対向する位置には紙案内下４５が設けられ、当該紙案内下４５によって、用紙Ｐと記録ヘッド４８との距離が規定される。尚、紙案内下４５において記録ヘッド４８と対向する部分には、上流側からリブ４５ａ、４５ｂ、４５ｃが形成されており、各リブの間に用紙先端或いは後端を位置決めした状態で用紙先端或いは用紙後端から外れた領域にもインクを吐出することにより、所謂縁無し印刷が実行される。
【００４４】
給送ローラ２８の外周面によって形成される湾曲反転給送経路の終了位置から搬送手段５までは直線的な搬送経路（主に紙案内後４４によって形成される）となっていて、図４（Ｂ）に示すようにプリンタ１において給紙及び記録を実行可能な最小サイズの用紙（以下「用紙ＰＬ」と言う）を頭出しした状態（用紙ＰＬの先端Ｐｆが記録ヘッド４８と対向した状態）において、当該用紙ＰＬの後端Ｐｒが湾曲反転給送経路の終了位置近傍に位置する様、前記直線的な搬送経路が延設されている。尚、本実施形態における湾曲反転経路の終了位置は、図４（Ｂ）において大凡符号ａで示す位置（紙案内後４４上の用紙案内面を上流側（湾曲反転経路側）に延長した際にガイド部材３７に当接する位置付近）である。
【００４５】
本実施形態では、用紙ＰＬは表面にコート層を有する剛性の高いＬ判写真サイズ用紙（光沢紙）であり、図４は当該Ｌ判写真サイズ用紙を縦にした状態で給送する際の様子を示している。図４（Ａ）に示す様に、用紙ＰＬの先端Ｐｆが搬送手段５によってニップされるまでは、中間ローラである給送ローラ２８とアシストローラ３０とによって用紙ＰＬをニップした状態を維持しなければならない。
【００４６】
用紙ＰＬの先端Ｐｆが搬送手段５によってニップされると、後端Ｐｒは給送ローラ２８とアシストローラ３０とのニップ点から外れても、その後は、搬送手段５によって下流側へ送ることができる。そして図４（Ｂ）に示す様に頭出しした状態では、用紙ＰＬの後端Ｐｒが給送ローラ２８とアシストローラ３０とのニップ点から外れ、且つ、湾曲反転経路の終了位置近傍に位置している。尚、図中符号Ｌは、Ｌ判写真サイズ用紙の縦方向長さを示している。また、符号＃１は記録ヘッド４８において用紙搬送方向（図の左右方向）に所定の間隔を置いて複数設けられたインク吐出ノズルのうち最も下流側のもの（１番ノズル）の位置を示している。
【００４７】
以上により、記録が開始されてから終了するまでの間、用紙ＰＬには殆ど湾曲状態が形成されず、自然な状態のまま記録が実行される。また、記録が開始されてから終了するまでの間、用紙ＰＬの後端Ｐｒは、アシストローラ３０と給送ローラ２８とによる拘束状態から外れた状態が維持される。
【００４８】
従って記録実行中の用紙ＰＬには、湾曲することによって後端Ｐｒがガイド部材３６、３７に摺接することによる搬送負荷（バックテンション）と、アシストローラ３０と給送ローラ２８とにニップされることによる搬送負荷（バックテンション）との双方が掛からず、略Ｕ字状の湾曲反転給送経路を備えた記録装置であっても、良好な記録品質を得ることができる。
【００４９】
また、湾曲反転給送経路の終了位置から搬送手段５へ至る直線的な搬送経路は、記録を実行可能な最小サイズの用紙ＰＬを基準に延設されることから、装置の大型化を防止できるとともに、搬送負荷が大きくなり易い最小サイズの用紙ＰＬへの記録実行時に、搬送負荷を殆ど無くすことができる。
【００５０】
尚、本実施形態では用紙が湾曲することによって当該用紙後端がガイド部材３６、３７に摺接することによる搬送負荷と、アシストローラ３０と給送ローラ２８とにニップされることによる搬送負荷と、の双方が掛からない様に構成されているが、いずれか一方による搬送負荷が軽減される様に構成しても良い。
【００５１】
続いて、図１に戻って記録手段４の下流側には、紙案内下４５からの用紙Ｐの浮き上がりを防止する補助ローラ５７と、記録の行われた用紙Ｐを排出する排出手段６とが設けられている。排出手段６は図示しないモータによって回転駆動される排出駆動ローラ５５と、当該排出駆動ローラ５５に接して従動回転する排出従動ローラ５６とを備えて構成されている。
【００５２】
排出従動ローラ５６は外周に複数の歯を有する歯付きローラによって成されるとともに、主走査方向に長い形状を成す排紙フレームＡｓｓｙ５４に、複数の排出駆動ローラ５６に対応するよう複数設けられる。記録手段４によって記録の行われた用紙Ｐは、排出駆動ローラ５５と排出従動ローラ５６とによってニップされた状態で排出駆動ローラ５５が回転駆動されることにより、装置前方側に設けられた図示しないスタッカへと排出される。
【００５３】
以上がプリンタ１及びフロント給送装置３の構成であり、以下、図５乃至図９を参照しながらフロント給送装置３を利用した給送モードについて説明する。  
本実施形態においてフロント給送装置３は、普通紙通常給送モード、普通紙高速給送モード、専用紙給送モード、の３つの給送モードを備えている。
【００５４】
いずれの給送モードを用いて給送を行うかは、プリンタ１と接続されたホストコンピュータ（図示せず）から受信する印刷設定情報、或いは、プリンタ１の操作パネル（図示せず）上から入力された印刷設定情報をもとに、プリンタ１の制御部（図示せず）が決定する。
【００５５】
具体的には、用紙種類が「普通紙」であって印刷品質が「きれい」の場合には「普通紙通常給送モード」が選択され、用紙種類が「普通紙」であって印刷品質が「はやい」の場合には「普通紙高速給送モード」が選択され、用紙種類が「専用紙」の場合には印刷品質を問わず「専用紙給送モード」が選択される。尚、「専用紙」はここでは記録面にコート層を備えた複数層から成る用紙であり、「普通紙」は単一層から成る用紙である。
【００５６】
図５に示す様に、給送動作の開始時には給送モードが普通紙高速給送モードか否かが判断され（ステップＳ１０１）、普通紙高速給送モードでなければ（否定枝）、分離ローラ２９が上昇して（ステップＳ１０２：図１の符号２９’の状態）、分離ローラ２９が給送ローラ２８に圧接する。即ち、「第２の分離部」が形成される。
【００５７】
ステップＳ１０１において普通紙高速給送モードであれば（肯定枝）、分離ローラ２９が下降した状態のまま、即ち分離ローラ２９が給送ローラ２８から離間した状態のまま、ピックアップローラ２６による給紙カセット２５からの用紙取り出し動作（下降・正転）と、給送ローラ２８の正転動作が開始される（ステップＳ１０３）。
【００５８】
続いて、給送ローラ２８の回転数がｎ１（step）に到達したか否かを判断し（ステップＳ１０４）、到達した場合は（肯定枝）、分離ローラ２９を下降させる（ステップＳ１０５）。即ち、用紙Ｐ２を、分離ローラ２９と給送ローラ２８とのニップ状態から開放する。尚、このｎ１（step）は用紙種類毎に設定されるものであり、即ち分離ローラ２９が下降するタイミングは、普通紙と専用紙とで異なっており、これについては後に詳述する。
【００５９】
そして、給送した用紙の先端を用紙検出器４９によって検出すると（ステップＳ１０６の肯定枝）、専用紙の場合にはスキュー取りを実行し（ステップＳ１０７の肯定枝、ステップＳ１０８）、用紙の頭出しを行い（ステップＳ１０９）、その後記録を開始する。普通紙の場合には（ステップＳ１０７の否定枝）、スキュー取りを実行しないで（ステップＳ１０７の否定枝）、用紙の頭出しを行い（ステップＳ１０９）、その後記録を開始する。
【００６０】
以上の通り、普通紙通常給送モード及び専用紙給送モードでは「第１の分離部」（摺接面３５）に加えて「第２の分離部」（分離ローラ２９）を用いる（第１の分離モード）。そして、普通紙高速給送モードでは「第２の分離部」（分離ローラ２９）を用いずに、「第１の分離部」（摺接面３５）のみを用いる（第２の分離モード）。
【００６１】
従って用紙間の摩擦係数が大きく、且つ剛性が高く湾曲した給送経路を給送する際に大きな搬送負荷が生じ易い性質の為、重送の生じ易い専用紙の場合には、２つの分離手段を用いることで、確実な分離を行うことができる。そして用紙間の摩擦係数が比較的小さく分離し易い反面、皺や紙ジャムが生じやすく、それでいて高速給紙性が求められる性質を有する普通紙の場合には、１つの分離手段のみを用いることで、皺や紙ジャムを生じることなく高速給紙を安定して実行することが可能となる。即ち、専用紙の場合に確実な分離を行いつつ、普通紙の場合に皺や紙ジャムを生じることなく高速給紙を実行することが可能となる。
【００６２】
続いて、図６乃至図９を参照しながら各給送モードについて更に詳説する。  
図７乃至図９において符号Ａ〜Ｆは、図６の符号Ａ〜Ｆに対応しており、即ち一連の給送動作の各タイミングにおいて用紙先端が用紙給送経路のいずれの位置にあるのかを示している。  
Ａ４サイズ普通紙を通常速度で給送する場合、普通紙通常給送モード（図７）が用いられる。図示する様に、分離ローラ２９の上昇後、ピックアップローラ２６が下降し正転を開始するのと同時に給送ローラ２８の正転が開始され、これにより給紙カセット２５から用紙が送り出され、その後用紙先端が位置Ｃに到達した際即ちアシストローラ３０と給送ローラ２８にニップされた後に、分離ローラ２９が下降し、ピックアップローラ２６の回転が停止される。
【００６３】
ここで、ピックアップローラ２６の回転は停止するが、上昇はせずに給紙中の用紙と接した状態のままに置かれる。これにより、用紙の給送が完了して次の用紙を給送する際に、ピックアップローラ２６の上昇・下降動作を行う必要が無くなり、普通紙に求められる高速印刷の要請に応えることができる。
【００６４】
尚、ピックアップローラ２６の駆動源である駆動モータからピックアップローラ２６へ動力を伝達する動力伝達経路（図示せず）にはワンウェイクラッチ機構（図示せず）が介在している。従って駆動モータを停止させると、ピックアップローラ２６は駆動モータからの負荷の影響を受けずに、給送ローラ２８とアシストローラ３０によって給送され、或いは搬送手段５によって搬送される用紙に接して従動回転することが可能となっている。つまり、ピックアップローラ２６が下降したままであっても、用紙に与えるバックテンションが大幅に軽減される様になっている。
【００６５】
一方、Ａ４サイズ専用紙を給送する場合、図８に示す専用紙給送モードが用いられる。図示する様に、この給送モードが図７の普通紙通常給送モードと異なる点は、一連の給送動作中においてピックアップローラ２６が正転する期間が長い点、分離ローラ２９が上昇している期間が長い点、ピックアップローラ２６が用紙給送後上昇する点、である。
【００６６】
即ち、普通紙通常給送モードでは用紙先端がアシストローラ３０と給送ローラ２８とにニップされた後は、速やかに分離ローラ２９を下降させ、ピックアップローラ２６の回転を停止していたが、専用紙給送モードでは、用紙先端がアシストローラ３０の更に下流側の紙検出器４９に到達する直前にまで搬送した時点で、ピックアップローラ２６の駆動を停止する。分離ローラ２９も同様に、用紙先端がアシストローラ３０の更に下流側の紙検出器４９に到達する直前に、下降する。
【００６７】
つまり、専用紙の場合にはピックアップローラ２６の回転量（用紙に送り力を付与する時間）をより多くして、より一層搬送力を与える様にしている。これは、専用紙が剛性が高く、用紙間の摩擦係数も大きい為、湾曲経路を給送する際に大きな搬送負荷を生じ易いとともに、「第２の分離部」を通過する際の抵抗が大きく、以上によりピックアップローラ２６によって送り出される際にピックアップローラ２６との間でスリップを生じ易いという性質がある為である。
【００６８】
尚、本実施形態において分離ローラ２９は図２に示す様に１桁側に偏倚した位置に配置されており、Ａ４サイズ用紙に対しても、桁方向中央部には位置せず１桁側に偏倚した位置に配置されている。そして、ピックアップローラ２６は、桁方向の位置が分離ローラ２９と略一致する位置に設けられており、従ってピックアップローラ２６によって用紙に送り力が加わると、スキュー傾向が生じる様になっている。
【００６９】
ここで、専用紙の場合は剛性が高いので、側端がエッジガイドにガイドされ易く、従ってピックアップローラ２６によって送り力を加えた際に、剛性の低い普通紙に比べてスキューし難い性質がある。従って専用紙の場合にピックアップローラ２６の回転量をより多く設定しても、普通紙に比べてスキューの程度はそれ程大きくならず、ピックアップローラ２６の回転量をより多く設定することによるメリットを享受することができる。また、普通紙の場合は専用紙ほど搬送力を必要としないので、専用紙よりもピックアップローラ２６の回転量を少なくすることで、スキューの程度を抑えることができる。
【００７０】
また、専用紙の場合は分離ローラ２９の上昇時間が長く設定されているので、より高い分離性能を必要とする専用紙をより確実に分離することができる。即ち、第２の分離部における用紙のニップ時間を用紙種類（用紙の材質）に応じて調節する手段を備えているので、用紙の種類に応じて分離性能を優先する（第２の分離部における用紙のニップ時間を長くする）ことによって、例えば本実施例では専用紙をより確実に分離させることができ、また搬送負荷の低減を優先する（第２の分離部における用紙のニップ時間を短くする）ことによって、例えば本実施例では普通紙を皺や紙ジャムの発生を防止しつつより高速に給送することができる。
【００７１】
更に加えて、「第１の分離モード」を用いる普通紙通常給送モードと専用紙給送モードでは、図７、図８から明かな様に一連の給送動作中においてピックアップローラ２６が、給送されるべき最上位の用紙に送り力を付与する期間（ピックアップローラ２６が下降し且つ正転している期間）と、分離ローラ２９と給送ローラ２８とで給送されるべき最上位の用紙をニップする期間（分離ローラ２９が上昇している期間）とが略一致する様に制御される。従ってこれにより、ピックアップローラ２６による送り力によって用紙に生じるスキュー傾向を、第２の分離部によって効果的に打ち消すことができ、ピックアップローラ２６による用紙送り力によって用紙に生じるスキューの程度を、より一層軽減することができる。
【００７２】
以下、更に詳説する。上述した様にピックアップローラ２６によって用紙に送り力を加える際、当該ピックアップローラ２６の桁方向位置が用紙中央から外れた位置にあると、前記送り力によってスキュー傾向が生じるが、分離ローラ２９と給送ローラ２８とで用紙をニップすることによって搬送負荷が加わるから、この搬送負荷を、前記スキュー傾向を打ち消す為に利用することができる。
【００７３】
本実施形態ではＡ４サイズ用紙に対してピックアップローラ２６は１桁側に偏倚した位置に配置されているので、ピックアップローラ２６の下流側で、例えばこれより更に１桁側に偏倚した位置で用紙をニップすれば、ピックアップローラ２６による送り力によって生じるスキュー傾向を、より効果的に打ち消すことができる。
【００７４】
本実施形態では、桁方向においてピックアップローラ２６と分離ローラ２９とは略一致する位置に設けられていることから、桁方向においてピックアップローラ２６による送り力と、分離ローラ２９が用紙に与える負荷とのバランスがとれ、適切にスキューの程度を軽減させることができる。
【００７５】
そしてこの様な構成において、上述の通り一連の給送動作中においてピックアップローラ２６が用紙に送り力を付与する期間と、分離ローラ２９と給送ローラ２８とで用紙をニップする期間とが略一致する様に構成されていることから、ピックアップローラ２６による送り力によって用紙に生じるスキュー傾向を、第２の分離部によって効果的に打ち消すことができる。
【００７６】
尚、専用紙給送モードでは、普通紙通常給送モード及び普通紙高速給送モードとは異なり、図８に示す様に用紙給送後ピックアップローラ２６が上昇し、即ち記録を実行中の用紙（給紙した用紙）から離間する様になっている。従ってこれにより、ピックアップローラ２６が記録を実行中の用紙にバックテンションを全く与えることがなく、より一層の記録品質を要求される専用紙を用いた印刷において、より一層良好な記録結果を得ることができる。
【図面の簡単な説明】
【００７７】
【図１】本発明に係るプリンタの側断面概略図。
【図２】フロント給送装置の斜視図。
【図３】図２の要部拡大図。
【図４】フロント給送装置の給送経路の模式図。
【図５】給送動作の流れを示すフローチャート。
【図６】フロント給送装置の給送経路の模式図。
【図７】フロント給送装置の用紙給送時の動作タイミングチャート。
【図８】フロント給送装置の用紙給送時の動作タイミングチャート。
【図９】フロント給送装置の用紙給送時の動作タイミングチャート。
【符号の説明】
【００７８】
１  インクジェットプリンタ、２  リア給送装置、３  フロント給送装置、４  記録手段、５  搬送手段、６  排出手段、１１  給送ローラ、１２  ホッパ、１３  リタードローラ、２５  給紙カセット、２６  ピックアップローラ、２８  給送ローラ、２９  リタードローラ、３０  アシストローラ、３６、３７  ガイド部材、３８  ガイドローラ、４０  ガイドローラ、４１  搬送駆動ローラ、４２  搬送従動ローラ、４３  紙案内上、４４  紙案内後、４５  紙案内下、４６  キャリッジ、４７  キャリッジガイド軸、４８  記録ヘッド、５５  排出駆動ローラ、５６  排出従動ローラ、５７  補助ローラ、Ｐ１、Ｐ２  記録用紙
【図１】
2007197180.tif 000003
【図２】
2007197180.tif 000004
【図３】
2007197180.tif 000005
【図４】
2007197180.tif 000006
【図５】
2007197180.tif 000007
【図６】
2007197180.tif 000008
【図７】
2007197180.tif 000009
【図８】
2007197180.tif 000010
【図９】
2007197180.tif 000011